(57)【要約】【課題】  高ダイナミックレンジ画像を処理し、好ましい表現効果を達成することができる多重露光画像合成システムを提供する。【解決手段】  本発明の多重露光画像合成システムは、画像検出ユニット１０、及び、画像合成ユニット１２からなる。画像検出ユニット１０は、同一情景の異なる露光時間を経た画像である低ダイナミックレンジ画像の表示部分を検出する。画像合成ユニット１２は、画像検出ユニット１０に結合され、表示部分に基づいて、低ダイナミックレンジ画像の露光ヒストリカルデータを設定し、露光ヒストリカルデータはデータベース中に保存される。画像合成ユニット１２は、露光ヒストリカルデータを参考にし、低ダイナミックレンジ画像を合成して高ダイナミックレンジ画像を形成する。【選択図】  図１
2006087063.tif 000002
【特許請求の範囲】
【請求項１】
多重露光画像を合成する多重露光画像合成システムであって、
同一情景の異なる露光時間を経た画像である複数の低ダイナミックレンジ画像のうち、少なくとも一つの低ダイナミックレンジ画像に表示される、少なくとも一つの表示削除部分及び／又は少なくとも一つの表示保留部分を含んだ少なくとも一つの表示部分を検出する画像検出ユニットと、
前記画像検出ユニットに結合され、前記表示部分に基づいて、前記低ダイナミックレンジ画像の露光ヒストリカルデータを設定して保存し、前記露光ヒストリカルデータを参考にし、前記低ダイナミックレンジ画像を合成して高ダイナミックレンジ画像を形成する画像合成ユニットと、
からなることを特徴とする、多重露光画像合成システム。
【請求項２】
前記表示削除部分、及び、前記表示保留部分は、異なる前記低ダイナミックレンジ画像中に表示されることを特徴とする、請求項１に記載の多重露光画像合成システム。
【請求項３】
前記表示削除部分、及び、前記表示保留部分は、同一の前記低ダイナミックレンジ画像中に表示されることを特徴とする、請求項１に記載の多重露光画像合成システム。
【請求項４】
前記低ダイナミックレンジ画像は、前記各表示部分に基づいて、表示画像と少なくとも一つの未表示画像に分けられ、
前記画像合成ユニットは、
前記各表示部分に対し、前記未表示画像中、前記表示保留部分を複製する工程と、
前記未表示画像中で、複製した前記表示保留部分を削除する工程と、
前記表示画像中で、前記表示削除部分を削除する工程と、
前記表示削除部分が削除された前記表示画像と前記表示保留部分が削除された前記未表示画像とを合成する工程と、からなる工程を実行することにより、画像合成を実行することを特徴とする、請求項１に記載の多重露光画像合成システム。
【請求項５】
前記画像合成ユニットは、
前記画像検出ユニットに結合され、前記表示部分を画像合成し、前記低ダイナミックレンジ画像の前記露光ヒストリカルデータを設定すると共に、前記露光ヒストリカルデータを参考にして、少なくとも一つの部分合成画像を得る部分合成ユニットと、
前記画像検出ユニットに結合され、前記露光ヒストリカルデータを参考にして、低前記ダイナミックレンジ画像の未表示部分を画像合成して、少なくとも一つの標準合成画像を得る標準合成ユニットと、
前記部分合成ユニット及び前記標準合成ユニットに結合され、前記部分合成画像と前記標準合成画像とを高ダイナミックレンジデジタル混合して、高ダイナミックレンジ画像を得るデジタル混合ユニットと、
からなることを特徴とする、請求項１に記載の多重露光画像合成システム。
【請求項６】
前記部分合成ユニット、或いは、前記標準合成ユニットが、前記露光ヒストリカルデータを参考にして画像合成をできない時、前記部分合成ユニット、或いは、前記標準合成ユニットは、カメラ応答関数を参考にして、下記（１）式に示す画像応答関数を用いて画像合成を行うことを特徴とする、請求項５に記載の多重露光画像合成システム。
【数１】
2006087063.tif 000007
【請求項７】
多重露光画像を合成する多重露光画像合成方法であって、
同一情景の異なる露光時間を経た画像であって、少なくとも一つの表示削除部分及び／又は少なくとも一つの表示保留部分を含んだ少なくとも一つの表示部分を有する、少なくとも一つの低ダイナミックレンジ画像を提供する工程と、
前記表示部分を検出する工程と、
前記表示部分に基づいて、前記低ダイナミックレンジ画像の前記露光ヒストリカルデータを設定して保存すると共に、前記露光ヒストリカルデータを参考にして、前記低ダイナミックレンジ画像を画像合成して、高ダイナミックレンジ画像を形成する工程と、
からなることを特徴とする、多重露光画像合成方法。
【請求項８】
前記表示削除部分、及び、前記表示保留部分は、異なる前記低ダイナミックレンジ画像中に表示されることを特徴とする、請求項７に記載の多重露光画像合成方法。
【請求項９】
前記表示削除部分、及び、前記表示保留部分は、同一の前記低ダイナミックレンジ画像中に表示されることを特徴とする、請求項７に記載の多重露光画像合成方法。
【請求項１０】
前記低ダイナミックレンジ画像は、前記各表示部分に基づいて、表示画像と少なくとも一つの未表示画像に分けられ、
前記低ダイナミックレンジ画像を画像合成して、高ダイナミックレンジ画像を形成する工程は、
前記各表示部分に対し、前記未表示画像中、前記表示保留部分を複製する工程と、
前記未表示画像中で、複製した前記表示保留部分を削除する工程と、
前記表示画像中で、前記表示削除部分を削除する工程と、
前記表示削除部分が削除された前記表示画像と前記表示保留部分が削除された前記未表示画像を合成する工程と、
からなることを特徴とする、請求項７に記載の多重露光画像合成方法。
【請求項１１】
前記低ダイナミックレンジ画像を画像合成する方法は、
前記表示部分を画像合成し、前記低ダイナミックレンジ画像の前記露光ヒストリカルデータを設定すると共に、前記露光ヒストリカルデータを参考にして、少なくとも一つの部分合成画像を得る工程と、
前記露光ヒストリカルデータを参考にして、前記低前記ダイナミックレンジ画像の未表示部分を画像合成して、少なくとも一つの標準合成画像を得る工程と、
前記部分合成画像と前記標準合成画像とを高ダイナミックレンジデジタル混合して、高ダイナミックレンジ画像を得る工程と、
からなることを特徴とする、請求項７に記載の多重露光画像合成方法。
【請求項１２】
前記露光ヒストリカルデータを参考にして画像合成をできない時、カメラ応答関数を参考にして、下記（１）式に示す画像応答関数を用いて画像合成を行うことを特徴とする、請求項１１に記載の多重露光画像合成方法。
【数２】
2006087063.tif 000008
【発明の詳細な説明】
【技術分野】
【０００１】
本発明は、画像合成に関するものであって、特に、多重露光画像合成システム及び多重露光画像合成方法に関するものである。
【背景技術】
【０００２】
画像再現（Image  Reproduction）に従事する人、例えば、画家、伝統的なカメラの撮影者、或いは、デジタルカメラの撮影者等にとって、画像を、いかにして、本来のイメージとほぼ同一の画像に複製するか、ほぼ同一の明暗度にするかなどは、重要な課題である。高ダイナミックレンジ画像（High dynamic range image）は、画像複製が困難である。画像中の高ダイナミックレンジとは、画像中で最も明るいところと最も暗いところのコントラスト比の値のことで、高ダイナミックレンジ画像は、即ち、明暗度の差が大きい画像のことである。例を挙げると、輝度が平坦なボードを光線が充分な室外に放置して形成される画像は、低ダイナミックレンジ画像（low-dynamic range image）に属し、例えば、白雪と黒犬で形成される画像は、高ダイナミックレンジ画像に属する。
【０００３】
一般的に、画家は絵画技術を利用して高ダイナミックレンジ画像の明暗度を表現し、明暗度の差が大きくても、絵を描く時は各種技巧を凝らして、高ダイナミックレンジ画像の情景を適切な明暗度で表現する。しかし、従来のカメラの撮影者は、カメラの機構性の制限を受けるため、適切な明暗度の画像を撮影するための解決方法は、適当な情景を選択するか、適当なタイミングを待つかしかない。
【０００４】
近来、デジタルカメラにより得られる画像は、デジタル画像であるので、デジタル画像処理技術の発展に伴って、デジタルカメラ撮影者は、画像処理技術を利用し、高ダイナミックレンジ画像を適切に処理して、本来の情景を再現することができる。つまり、デジタル画像を取得した後、画像処理ソフトなどを利用して、そのデジタル画像に画像処理工程を施して得られた最終のデジタル画像は本来の情景に近い。しかし、現存するデジタル相関処理ソフト、或いは、技術は、高ダイナミックレンジ画像を効果的に処理することはできない。
【０００５】
【特許文献１】特開２００４−５６５７３号
【非特許文献１】Fredo Durand and Julie Dorsey 2002.“Fast Bilateral Filtering for the Display of High-Dynamic-Range Images”,In Proceedings of ACM SIGGRAPH 2002,ACM Press/ACM SIGGRAPH,Computer Graphics Proceedings,Annual Conference Series,257-266.
【非特許文献２】DiCarlo,J.,and Wandell,B.2000.“Rendering High Dynamic Range Images”,Proceedings of the SPIE:Image Sensors 3965,392-401
【非特許文献３】Debevec,P.E.,and Malik,J.1997.“Recovering High Dynamic Range Radiance Maps from Photographs”,In Proceedings of ACM SIGGRAPH 1997,ACM SIGGRAPH/Addison Wesley,Los Angeles,California,Computer Graphics Proceedings,Annual Conference Series,369-378.
【発明の開示】
【発明が解決しようとする課題】
【０００６】
本発明は、画像処理技術及び相関するツールにより、明暗度の差が大きい情景からデジタルカメラのファインダーで得られる高ダイナミックレンジ画像を処理し、好ましい表現効果を達成することができる多重露光画像合成システム及び多重露光画像合成方法を提供することを、その課題とする。
【課題を解決するための手段】
【０００７】
上記の課題を解決するため、本願発明では、次の技術的手段を講じている。
【０００８】
本願発明によって提供される多重露光画像合成システムは、画像検出ユニット、及び、画像合成ユニットからなる。ここで、多重露光画像とは、同一情景が異なる露光設定によって撮影された複数枚の画像のことである。或いは、多重露光画像とは、同一情景が同一の露光設定であるが、異なる時間に撮影された異なる露光程度である複数枚の画像のことである。
【０００９】
画像検出ユニットは、同一情景の異なる露光時間を経た画像である低ダイナミックレンジ画像に表示される、少なくとも一つの表示削除部分及び／又は少なくとも一つの表示保留部分を含んだ表示部分を検出する。画像合成ユニットは、画像検出ユニットに結合され、表示部分に基づいて、低ダイナミックレンジ画像の露光ヒストリカルデータを設定して保存する。画像合成ユニットは、露光ヒストリカルデータを参考にし、低ダイナミックレンジ画像を合成して高ダイナミックレンジ画像を形成することを特徴としている（請求項１）。
【００１０】
また、表示削除部分及び表示保留部分は、異なる低ダイナミックレンジ画像中に表示するか（請求項２）、或いは、同一の低ダイナミックレンジ画像中に表示される（請求項３）。
【００１１】
また、低ダイナミックレンジ画像は、各表示部分に対し、表示画像と未表示画像に分けることが出来、表示画像は表示部分を含む画像で、未表示画像はこの表示部分を含まない画像である。表示部分は表示削除部分、及び／又は、表示保留部分を含む。例えば、低ダイナミックレンジ画像は、Ａ、Ｂ、Ｃの３枚の画像を含み、Ａ画像中に、表示削除部分があると表示する場合、Ａ画像は、即ち、表示削除部分の表示画像であり、Ｂ画像とＣ画像は、この表示削除部分に対し、未表示画像である。但し、Ｂ画像中、表示保留部分を含む場合は、この表示保留部分に対し、Ｂ画像は表示画像であり、Ａ画像とＣ画像はその表示保留部分に対し、未表示画像である。
【００１２】
画像合成ユニットが画像合成を実行する時、各表示部分に対し、未表示画像中、表示保留部分を複製する。画像合成ユニットは、未表示画像中で、複製した表示保留部分を削除すると共に、表示画像中で、表示削除部分を削除する。最後に、表示削除部分が削除された表示画像と前記表示保留部分が削除された未表示画像とを合成する（請求項４）。
【００１３】
また、画像合成ユニットは、部分合成ユニット、標準合成ユニット、及び、デジタル混合ユニットを有する。部分合成ユニットは、低ダイナミックレンジ画像の露光ヒストリカルデータを設定すると共に、露光ヒストリカルデータを参考にして、低ダイナミックレンジ画像の表示部分を画像合成して部分合成画像を得る。標準合成ユニットは、露光ヒストリカルデータを参考にして、低ダイナミックレンジ画像の未表示部分を画像合成して標準合成画像を得る。デジタル混合ユニットは、部分合成ユニット及び標準合成ユニットに結合され、部分合成画像と標準合成画像とを高ダイナミックレンジデジタル混合して、高ダイナミックレンジ画像を得る（請求項５）。
【００１４】
部分合成ユニット、或いは、標準合成ユニットが、露光ヒストリカルデータを参考にして画像合成をできない時、部分合成ユニット、或いは、標準合成ユニットは、カメラ応答関数を参考にして、下記（１）式に示す画像応答関数を用いて画像合成を行う（請求項６）。
【００１５】
【数３】
2006087063.tif 000003
【００１６】
前記（１）式の意味は、Ｍは低ダイナミックレンジ画像の最大値で、仮に、５枚である場合、低ダイナミックレンジ画像の全て、すなわち、５枚の画像を採用して、理論輝度値の計算を実行するというものである。しかし、ある情況下で、部分的な低ダイナミックレンジ画像を採用することが出来、例えば、３枚、或いは、４枚の画像で、理論輝度値の計算を実行することが出来る。最後に、前記（１）式の最も右側で示される意味は、１枚の画像だけを採用しても、理論輝度値の計算が可能であることである。ｇはカメラ応答関数で、回帰分析等数値方法により生まれる関数である。
【００１７】
更に、本願発明によって提供される多重露光画像を合成する多重露光画像合成方法は、まず、同一情景の異なる露光時間を経た画像であって、少なくとも一つの表示削除部分及び／又は少なくとも一つの表示保留部分を含んだ表示部分を有する低ダイナミックレンジ画像を提供する。その後、低ダイナミックレンジ画像の表示部分を検出する。最後に、低ダイナミックレンジ画像の露光ヒストリカルデータを設定して保存すると共に、露光ヒストリカルデータを参考にし、低ダイナミックレンジ画像の画像合成を実行して、高ダイナミックレンジ画像を形成することを特徴としている（請求項７）。
【００１８】
また、表示削除部分及び表示保留部分は、異なる低ダイナミックレンジ画像中に表示するか（請求項８）、或いは、同一の低ダイナミックレンジ画像中に表示される（請求項９）。
【００１９】
低ダイナミックレンジ画像は、各表示部分に対し、表示画像と未表示画像に分けることが出来、表示画像は表示削除部分、及び／又は、表示保留部分を含む。低ダイナミックレンジ画像の画像合成の詳細を以下に示すと、まず、未表示画像中、表示保留部分を複製する。続いて、未表示画像中、複製する表示保留部分を削除すると共に、表示画像中、表示削除部分を削除する。最後に、表示削除部分が削除された表示画像と表示保留部分が削除された未表示画像とを合成する（請求項１０）。
【００２０】
画像合成の詳細な工程を、以下に示すと、まず、表示部分を画像合成し、低ダイナミックレンジ画像の露光ヒストリカルデータを設定すると共に、露光ヒストリカルデータを参考にし、部分合成画像を得る。その後、露光ヒストリカルデータを参考にし、低ダイナミックレンジ画像の未表示部分を画像合成し、標準合成画像を得る。最後に、部分合成画像と標準合成画像とを高ダイナミックレンジ画像デジタル混合して、高ダイナミックレンジ画像を得る（請求項１１）。
【００２１】
画像合成工程中、露光ヒストリカルデータを参考にして画像合成ができない時、カメラ応答関数を参考にして、下記（１）式に示す画像応答関数を用いて画像を合成する（請求項１２）。
【００２２】
【数４】
2006087063.tif 000004
【発明の効果】
【００２３】
本発明の提供する多重露光画像合成方法及び多重露光画像合成システムは、画像処理時に用いられ、高ダイナミックレンジ合成画像の実用性を大幅に向上させると同時に、画像の後続処理に必要な人力及び操作を減少させ、公知の、人的操作に依存する問題を改善する。
【発明を実施するための最良の形態】
【００２４】
本願発明のその他の特徴及び利点は、添付図面を参照して以下に行う詳細な説明によって、より明らかとなろう。
【００２５】
以下、本願発明の好ましい実施の形態を、添付図面を参照して具体的に説明する。
【００２６】
図１は、本発明のシステム機能を示す図である。本実施例中、本発明の多重露光画像合成システムは、画像検出ユニット１０と画像合成ユニット１２とからなる。
【００２７】
画像検出ユニット１０は、低ダイナミックレンジ画像中に含まれる表示部分を検出する。低ダイナミックレンジ画像は、同一の情景の異なる露光時間を経た複数枚の画像である。画像合成ユニット１２は、画像検出ユニット１０に結合されている。画像合成ユニット１２は、画像検出ユニット１０によって検出された表示部分に基づいて、低ダイナミックレンジ画像の露光ヒストリカルデータを設定する。露光ヒストリカルデータはデータベース１４中に保存される。画像合成ユニット１２は、露光ヒストリカルデータを参考にし、低ダイナミックレンジ画像に画像を合成して高ダイナミックレンジ画像を形成する。
【００２８】
低ダイナミックレンジ画像中に含まれる表示部分は、表示削除部分（画像内で削除する部分）、及び／又は、表示保留部分（画像内で削除しない部分）を含む。表示削除部分及び表示保留部分は、異なる低ダイナミックレンジ画像中に表示するか、或いは、同一の低ダイナミックレンジ画像中に表示することが出来る。
【００２９】
低ダイナミックレンジ画像中に表示部分の表示される画像は表示画像で、低ダイナミックレンジ画像中に表示部分の表示されない画像は未表示画像である。表示画像は、表示削除部分、及び／又は、表示保留部分を含む。画像合成ユニット１２は画像合成する時、未表示画像中の表示保留部分を複製する。画像合成ユニット１２は未表示画像中の複製した表示保留部分を削除すると共に、表示画像中の表示削除部分を削除する。最後に、表示保留部分を削除した表示画像と表示削除部分を削除した未表示画像とを合成する。
【００３０】
画像合成ユニット１２は、部分合成ユニット１２０、標準合成ユニット１２２、及び、デジタル混合ユニット１２４を有する。部分合成ユニット１２０は、低ダイナミックレンジ画像の露光ヒストリカルデータを設定すると共に、露光ヒストリカルデータを参考にして、低ダイナミックレンジ画像の表示部分を画像合成して部分合成画像を得る。標準合成ユニット１２２は、露光ヒストリカルデータを参考にして、低ダイナミックレンジ画像の未表示部分を画像合成して標準合成画像を得る。デジタル混合ユニット１２４は、部分合成ユニット１２０及び標準合成ユニット１２２に結合されている。デジタル混合ユニット１２４は、部分合成ユニット１２０によって得られた部分合成画像と標準合成ユニット１２２によって得られた標準合成画像とを高ダイナミックレンジデジタル混合して高ダイナミックレンジ画像を得る。
【００３１】
部分合成ユニット１２０、或いは、標準合成ユニット１２２が、露光ヒストリカルデータを参考にして画像合成をできない時、部分合成ユニット１２０、或いは、標準合成ユニット１２２は、カメラ応答関数を参考にして、画像合成を行う。この場合の画像応答関数は、以下の（１）式で示される。
【００３２】
【数５】
2006087063.tif 000005
【００３３】
図２は、本発明の多重露光画像合成方法にかかる実行フローチャートである。本実施例中、まず、低ダイナミックレンジ画像を提供する（ステップＳ２０）。低ダイナミックレンジ画像は、同一の情景の異なる露光時間を経た画像であり、表示部分を有する。
【００３４】
その後、低ダイナミックレンジ画像の表示部分を検出する（ステップＳ２２）。最後に、低ダイナミックレンジ画像の露光ヒストリカルデータを設定すると共に、露光ヒストリカルデータを参考にし、低ダイナミックレンジ画像の画像合成を実行して（ステップＳ２４）、高ダイナミックレンジ画像を形成する。
【００３５】
表示部分は、表示削除部分、及び／又は、表示保留部分を含む。表示削除部分及び表示保留部分は、異なる低ダイナミックレンジ画像中に表示するか、或いは、同一の低ダイナミックレンジ画像中に表示することが出来る。
【００３６】
図３は、本発明の多重露光画像合成方法にかかる細部実行フローチャートである。本実施例中、低ダイナミックレンジ画像は、各表示部分に対して表示画像と未表示画像に分けることが出来る。表示画像は表示削除部分、及び／又は、表示保留部分を含む。画像合成の詳細を以下に示す。
【００３７】
まず、各表示部分に対し、未表示画像中、表示保留部分を複製する（ステップＳ２００）。続いて、未表示画像中、複製した表示保留部分を削除する（ステップＳ２０２）と共に、表示画像中、表示削除部分を削除する（ステップＳ２０４）。最後に、表示削除部分を削除した表示画像と表示保留部分を削除した未表示画像とを合成する（ステップＳ２０６）。
【００３８】
画像合成工程中、露光ヒストリカルデータを参考にして画像合成をできない時、カメラ応答関数を参考にして、画像合成を行う。この場合、画像応答関数は、以下の（１）式で示される。
【００３９】
【数６】
2006087063.tif 000006
【００４０】
例を挙げると、図４は本発明の実施例を示す図で、この実施例中、まず、３枚の同一情景の異なる露光時間を経た低ダイナミックレンジ画像を提供する。ユーザーインターフェース、或いは、その他の表示方式により、使用者は提供された低ダイナミックレンジ画像中、マウスなどの表示ツールを使用して表示部分を表示する。表示部分は、表示削除部分、及び／又は、表示保留部分である。
【００４１】
図４に示されるように、使用者は、第一画像３０中で保留したい部分、即ち、表示保留部分３６０を表示し、第二画像３２中で削除したい部分、即ち、表示削除部分３８２を表示する。表示削除部分３８２及び表示保留部分３６０は、同一の低ダイナミックレンジ画像中、或いは、異なる低ダイナミックレンジ画像中で表示され、表示削除部分３８２及び表示保留部分３６０だけを選択する。
【００４２】
その後、低ダイナミックレンジ画像中に表示された表示部分を検出する。詳述すると、使用者が第一画像３０中に表示する保留したい表示保留部分３６０は、まず、第二画像３２、及び、第三画像３４の同一位置上に複製される。図中の３６２と３６４は、それを示したものである。なお、図４では、３６２及び３６４は、第一画像３０中に表示されているが、実際には、３６２は第二画像３２中に表示され、３６４は第三画像３４中に表示されている。その後、画像合成を実行する時、第二画像３２と第三画像３４のこの表示区域（３６２と３６４の表示位置）の画像は削除され、第一画像３０で表示する保留したい表示保留部分３６０だけをその表示区域に合成する。使用者が第二画像３２中に表示する削除したい表示削除部分３８２は、画像合成時、直接、削除され、第一画像３０及び第三画像３４のこの表示区域の画像が合成される。つまり、表示部分に基づいて、低ダイナミックレンジ画像の画像合成が実行され、高ダイナミックレンジ画像が形成される。
【００４３】
図５は、本発明の他の実施例を示す図である。本実施例中、本発明が提供する多重露光画像合成方法は、画像処理システム４０に応用される。図５に示されるように、まず、同一情景に属する、異なる露光時間の複数の低ダイナミックレンジ画像４２を得る。低ダイナミックレンジ画像４２は、エグジフ（Exchangeable Image File Format、EXIF）６０である。その後、取得した画像には除去工程４４が施される。取得した画像中に除去工程４４を施さなくてもよいものがある場合、画像登録工程４６が実行され、直接、高ダイナミックレンジ画像合成工程４８に進む。高ダイナミックレンジ画像合成工程４８は、高ダイナミックレンジ操作工程５０を使用するか、カメラ応答関数６２を参考にし、数値分析等の方式を利用して画像を合成する。本発明が提供する方法は、除去工程４４、及び、高ダイナミックレンジ操作工程５０で実現される。
【００４４】
その後、合成された画像は、高ダイナミックレンジ最適化工程５２を経る。高ダイナミックレンジ最適化工程５２では、高ダイナミックレンジ画像データベース５４を参考にして、相関する処理を実行することにより、合成画像が精選される。続いて、画像は、低ダイナミックレンジ画像後続処理工程５６を経て、可表示性の低ダイナミックレンジ画像５８が得られる。
【００４５】
上述から分かるように、本発明の提供する多重露光画像合成システム及び多重露光画像合成方法は、画像処理時に用いられ、高ダイナミックレンジ合成画像の実用性を大幅に向上させると同時に、画像の後続処理に必要な人力及び操作を減少させ、公知の、人的操作に依存する問題を改善する。
【００４６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００４７】
【図１】本発明のシステム機能を示す図である。
【図２】本発明の多重露光画像合成方法にかかるフローチャートである。
【図３】本発明の多重露光画像合成方法にかかる細部実行フローチャートである。
【図４】本発明の実施例を示す図である。
【図５】本発明の他の実施例を示す図である。
【符号の説明】
【００４８】
１０  画像検出ユニット
１２  画像合成ユニット
１４  露光ヒストリカルデータベース
３０  第一画像
３２  第二画像
３４  第三画像
４０  画像処理システム
４２  低ダイナミックレンジ画像
４４  除去工程
４６  画像登録工程
４８  高ダイナミックレンジ画像合成工程
５０  高ダイナミックレンジ操作工程
５２  高ダイナミックレンジ最適化工程
５４  高ダイナミックレンジ画像データベース
５６  低ダイナミックレンジ画像後続処理工程
５８  低ダイナミックレンジ画像
１２０  部分合成ユニット
１２２  標準合成ユニット
１２４  デジタル混合ユニット
３６０、３６２、３６４  表示保留部分
３８２  表示削除部分
【図１】
2006087063.tif 000009
【図２】
2006087063.tif 000010
【図３】
2006087063.tif 000011
【図４】
2006087063.tif 000012
【図５】
2006087063.tif 000013